(57)【要約】【課題】作業者が補助しなくても、ハンドミキサーに自動的に混合動作を行わせるよう補助する撹拌補助具を提供する。【解決手段】撹拌補助具１００は、ハンドミキサー２０１を保持して撹拌動作を行わせるものであり、上面が開口した容器１０と、容器１０の開口上面１１に架けられた基台部１２と、装置保持部２０と、容器１０底面に設けられた排出部３０と、排出部３０の開閉を行う排出開閉部４０とを備える。装置保持部２０は、基台部１２上に設けられており、ハンドミキサー２０１を保持するものであり、ロック部材２２、及びロック部材２３により構成される。ロック部材２２、及びロック部材２３は、両者が一体となってハンドミキサー２０１を横方向から挟み込んで固定する部材である。その保持態様は、シャフト２３０が容器１０内を向き、撹拌具２４０が容器１０内部に配置されるような態様である。【選択図】      図１
2016002491.tif 000002
【特許請求の範囲】
【請求項１】
電動機を内蔵する装置本体の横方向へ伸びるサイドハンドルが前記装置本体に設けられ、前記装置本体の先端部に取り付けられ、前記装置本体の縦方向に伸びるシャフトの先端に撹拌具を有し、前記電動機の回転により前記シャフトを介して前記撹拌具を回転させる撹拌装置の動作を補助する撹拌補助具であって、
上部が開口した容器と、
前記容器の開口上面に架けられた基台と、
前記シャフトが前記容器内を向き、前記撹拌具が前記容器内部に配置されるように、前記基台上に設けられた第１のロック部材、及び第２のロック部材により前記撹拌装置を挟み込んで前記撹拌装置を保持する装置保持手段と、
前記容器の下部に設けられ、前記容器内の収容体を排出する排出手段と、
前記排出口を開閉する排出開閉手段と
を備えたことを特徴とする撹拌補助具。
【請求項２】
前記装置保持手段において前記第１のロック部材、及び前記第２のロック部材の少なくともいずれか一方は、前記基台上で動作可能な状態にあり、前記第１のロック部材、及び前記第２のロック部材のうち動作可能な状態にある方を動作させて、前記装置本体の横方向から前記撹拌装置を挟み込んで、連結部材により前記第１のロック部材、及び前記第２のロック部材を連結させることにより前記撹拌装置を保持することを特徴とする請求項１に記載の撹拌補助具。
【請求項３】
前記１のロック部材は、
前記基台上に固定され、第１の切り欠け部を有する固定ロックプレートと、
前記固定ロックプレート上に立設され、第２の切り欠け部を有する固定サイドハンドルロックプレートと
を具備し、
前記２のロック部材は、
前記基台上の前記固定ロックプレートに隣接する位置に並列に配置され、自身の端部の所定の点を支点として前記基台上において前記固定ロックプレートとの間で振り子状の回動を行う回動機構を有し、回動させて前記第１の切り欠け部と合わせると前記装置本体の先端部を通す装置先端孔を形成する第３の切り欠け部を有する回動ロックプレートと、
前記回動ロックプレート上に立設され、前記回動ロックプレートを回動させて前記第２の切り欠け部と合わせると前記サイドハンドルを通すサイドハンドル孔を形成する第４の切り欠け部を有する回動サイドハンドルロックプレートと
を具備し、
前記回動ロックプレートと伴に前記回動サイドハンドルロックプレートを回動させて前記１のロック部材と前記２のロック部材とで前記撹拌装置を挟み込むと、前記回動ロックプレートと前記固定ロックプレートとで前記装置先端孔に前記装置本体の先端部を通した状態で前記装置本体を支持し、
前記回動サイドハンドルロックプレートと前記固定サイドハンドルロックプレートとで前記サイドハンドル孔に前記サイドハンドルを通した状態で前記サイドハンドルを固定することを特徴とする請求項２に記載の撹拌補助具。
【請求項４】
前記撹拌装置に接続し、前記撹拌具を回転させる回転速度を変更する操作を受けて前記回転速度を変更させる回転速度変更手段をさらに備えたことを特徴とする請求項１乃至請求項３のいずれか一つに記載の撹拌補助具。
【請求項５】
前記容器内の水位を検出する水位検出手段と、
前記検出された水位に応じて前記撹拌具を回転させる回転速度を変更する回転速度変更手段と
をさらに備え、
前記回転速度変更手段は、水位が低下するにしたがって前記撹拌具を回転させる回転速度を低下させることを特徴とする請求項１及び請求項３のいずれか一つに記載の撹拌補助具。
【発明の詳細な説明】
【技術分野】
【０００１】
本発明は、レベリング材等の材料を撹拌する撹拌装置の動作を補助する撹拌補助具に関し、特に、既存の手で持つタイプの撹拌装置（ハンドミキサー）の動作を補助する撹拌補助具に関する。
【背景技術】
【０００２】
従来、建築で用いる材料を撹拌するのに、バケツ内に所定の材料を投入して、手で持つタイプの撹拌装置であるハンドミキサーで作業者がそれらの材料の撹拌を行っていた。しかしながら、これでは作業効率が悪いため、以下のような撹拌装置が提案されていた（例えば、特許文献１参照。）。その撹拌装置は、上部に投入口を開口させた円筒状の容器本体と、この容器本体内に設ける攪拌部材および容器本体上方に設ける駆動装置からなる攪拌手段としての攪拌機と、容器本体を支持する支持脚と、投入口を覆うように設ける保護カバ−とから構成されており、この容器本体の下部内周壁面を、下方に向かって絞るように傾斜させて逆円錐状に形成するとともに、容器本体の底部中央に、排出口と、排出口をレバ−により開閉するゲ−トとを設けたものである。このような撹拌装置によれば、容器本体内に所望の材料を投入すれば、自動で材料の撹拌を行える。
【先行技術文献】
【特許文献】
【０００３】
【特許文献１】特開２００１−１５７８３２号公報
【発明の概要】
【発明が解決しようとする課題】
【０００４】
しかしながら、上述の従来の撹拌装置は、大型になりやすく、高価である。一方、手で持つタイプの撹拌装置であるハンドミキサーは、作業工程に材料の撹拌を伴う工程がある建築業者ならほとんど所持している。
【０００５】
そこで、本発明は、作業者が補助しなくても、手で持つタイプの撹拌装置であるハンドミキサーに自動的に撹拌動作を行わせるよう補助する撹拌補助具を提供することを目的とする。
【課題を解決するための手段】
【０００６】
本発明は、上記課題を解決するためになされたものであり、本発明の撹拌補助具は、電動機を内蔵する装置本体の横方向へ伸びるサイドハンドルが上記装置本体に設けられ、上記装置本体の先端部に取り付けられ、上記装置本体の縦方向に伸びるシャフトの先端に撹拌具を有し、上記電動機の回転により上記シャフトを介して上記撹拌具を回転させる撹拌装置の動作を補助する撹拌補助具であって、上部が開口した容器と上記容器の開口上面に架けられた基台と、上記シャフトが上記容器内を向き、上記撹拌具が上記容器内部に配置されるように、上記基台上に設けられた第１のロック部材、及び第２のロック部材により上記撹拌装置を挟み込んで上記撹拌装置を保持する装置保持手段と、上記容器の下部に設けられ、上記容器内の収容体を排出する排出手段と、上記排出口を開閉する排出開閉手段とを備えたことを特徴とする。これにより、作業者が補助しなくても上記撹拌装置に自動的に撹拌動作を行わせるという作用をもたらす。
【０００７】
また、本発明の撹拌補助具において、上記装置保持手段において上記第１のロック部材、及び上記第２のロック部材の少なくともいずれか一方は、上記基台上で動作可能な状態にあり、上記第１のロック部材、及び上記第２のロック部材のうち動作可能な状態にある方を動作させて、上記装置本体の横方向から上記撹拌装置を挟み込んで、連結部材により上記第１のロック部材、及び上記第２のロック部材を連結させることにより上記撹拌装置を保持することを特徴とする。
【０００８】
また、本発明の撹拌補助具において、上記１のロック部材は、上記基台上に固定され、第１の切り欠け部を有する固定ロックプレートと、上記固定ロックプレート上に立設され、第２の切り欠け部を有する固定サイドハンドルロックプレートとを具備し、上記２のロック部材は、上記基台上の上記固定ロックプレートに隣接する位置に並列に配置され、自身の端部の所定の点を支点として上記基台上において上記固定ロックプレートとの間で振り子状の回動を行う回動機構を有し、回動させて上記第１の切り欠け部と合わせると上記装置本体の先端部を通す装置先端孔を形成する第３の切り欠け部を有する回動ロックプレートと、上記回動ロックプレート上に立設され、上記回動ロックプレートを回動させて上記第２の切り欠け部と合わせると上記サイドハンドルを通すサイドハンドル孔を形成する第４の切り欠け部を有する回動サイドハンドルロックプレートとを具備し、上記回動ロックプレートと伴に上記回動サイドハンドルロックプレートを回動させて上記１のロック部材と上記２のロック部材とで上記撹拌装置を挟み込むと、上記回動ロックプレートと上記固定ロックプレートとで上記装置先端孔に上記装置本体の先端部を通した状態で上記装置本体を支持し、上記回動サイドハンドルロックプレートと上記固定サイドハンドルロックプレートとで上記サイドハンドル孔に上記サイドハンドルを通した状態で上記サイドハンドルを固定することを特徴とする。
【０００９】
また、本発明の撹拌補助具において、上記撹拌装置に接続し、上記撹拌具を回転させる回転速度を変更する操作を受けて上記回転速度を変更させる回転速度変更手段をさらに備えたことを特徴とする。これにより、上記撹拌装置の回転速度を変更させるという作用をもたらす。
【００１０】
また、本発明の撹拌補助具において、上記容器内の水位を検出する水位検出手段と、上記検出された水位に応じて上記撹拌具を回転させる回転速度を変更する回転速度変更手段とをさらに備え、上記回転速度変更手段は、水位が低下するにしたがって上記撹拌具を回転させる回転速度を低下させることを特徴とする。これにより、容器内の水位に応じて上記撹拌装置の回転速度を変更させるという作用をもたらす。
【発明の効果】
【００１１】
本発明によれば、作業者が補助しなくても、主として手で持つタイプの撹拌装置であるハンドミキサーに自動的に撹拌動作を行わせるという優れた効果を奏し得る。
【図面の簡単な説明】
【００１２】
【図１】本発明の実施の形態における撹拌補助具１００と撹拌装置２００とを示す図である。
【図２】本発明の実施の形態における撹拌補助具１００の装置保持部２０の動作態様と、排出部３０及び排出開閉部４０の動作態様とを示す図である。
【図３】本発明の実施の形態における撹拌補助具１００にハンドミキサー２０１を取り付ける様子を示す図である。
【図４】本発明の実施の形態における撹拌補助具１００の使用例を示す図である。
【図５】本発明の別の実施の形態における撹拌補助具３００にハンドミキサー２０１を取り付けた様子を示す図である。
【発明を実施するための形態】
【００１３】
次に本発明の実施の形態について図面を参照して詳細に説明する。
【００１４】
図１は、本発明の実施の形態における撹拌補助具１００と撹拌装置２００とを示す図である。撹拌装置２００は、手で持つタイプの撹拌装置であるハンドミキサーが一例として想定されるが、これに限るものではない。なお、以降において撹拌装置２００をハンドミキサー２０１として説明することとするが、ハンドミキサー２０１以外の撹拌装置にも可能な限り本発明を適用でき、そのような撹拌装置の場合も本発明の範囲に含まれる。
【００１５】
ハンドミキサー２０１は、例えば（図示しない）電動機を内蔵する装置本体２１０と、装置本体２１０の先端部に設けられたシャフトホルダ２２０と、シャフトホルダ２２０に保持され、電動機の回転軸に繋がるシャフト２３０と、シャフト２３０の先端に取り付けられた撹拌具２４０と、サイドハンドル２５０とにより構成されている。シャフト２３０が装置本体２１０の縦方向へ伸びるように取り付けられているのに対して、サイドハンドル２５０は装置本体２１０の横方向へ伸びるように装置本体２１０に取り付けられている。また、ハンドミキサー２０１は、停止操作を行わなければ、継続して動作を続けることができる。
【００１６】
撹拌補助具１００は、ハンドミキサー２０１を保持して撹拌動作を行わせるものであり、例えば、容器１０と、基台部１２と、装置保持部２０と、排出部３０と、排出開閉部４０とを備える構成が一例として想定される。
【００１７】
容器１０は、例えば、上面１１が開口し、底面が閉じた円筒形状の容器が想定されるが、これに限るものではない。すなわち、容器１０は、上面が開口した容器であれば、その形状はどのような形状であってもよい。
【００１８】
また、容器１０の開口上面１１には、基台部１２が架けられている。基台部１２は、例えば、直線状部材により構成させることが一例として想定されるが、これに限るものではなく、その他開口上面１１上に架けられていればその他の形状の部材であってもよい。図１において基台部１２である直線状部材が開口上面１１上を架け渡すように、その直線状部材両端が容器１０の上端縁１３に固定されている。また、基台部１２には、ハンドミキサー２０１のシャフト２３０等を通すために、切り欠け部１２ａが設けられている。
【００１９】
装置保持部２０は、基台部１２上に設けられており、ハンドミキサー２０１を保持するものである。その保持態様は、シャフト２３０が容器１０内を向き、撹拌具２４０が容器１０内部に配置されるような態様である。
【００２０】
装置保持部２０は、例えば、台座２１と、ロック部材２２、及びロック部材２３とを備える。図１において台座２１は、コの字形状部材となっているが、これは一例である。なお、台座２１は、ハンドミキサー２０１における撹拌具２４０の容器１０底面からの高さを調整するために設けられたものであり、シャフト２３０の長さでその高さを調整できれば、なくてもよい。
【００２１】
ロック部材２２、及びロック部材２３は、両者が一体となってハンドミキサー２０１を横方向から挟み込んで固定する部材である。ロック部材２２は、例えば、固定ロックプレート２４と、固定サイドハンドルロックプレート２６と、ナット部材２８とを備える。また、ロック部材２３は、例えば、回動ロックプレート２５と、回動サイドハンドルロックプレート２７と、ネジ部材２９とを備える。
【００２２】
固定ロックプレート２４、及び回動ロックプレート２５は、例えば、概ね長方形状の板状部材で構成することが一例として想定されるが、これに限るものではない。また、固定ロックプレート２４、及び回動ロックプレート２５には、それぞれ切り欠け部２４ａ、及び切り欠け部２５ａが設けられている。固定ロックプレート２４の側面と、及び回動ロックプレート２５の側面とを隣接させ、切り欠け部２４ａと、切り欠け部２５ａとを対向させて合わせると、シャフトホルダ２２０を含む装置本体２１０の先端を通すための装置先端孔が形成される。
【００２３】
固定ロックプレート２４、及び回動ロックプレート２５は、台座２１の上端面に互いに隣接する位置に取り付けられている。固定ロックプレート２４、及び回動ロックプレート２５の隣接態様として、例えば、固定ロックプレート２４、及び回動ロックプレート２５の長手側面が互いに向かい合い、かつそれぞれの切り欠け部２４ａと、切り欠け部２５ａとが対向するような態様が一例として想定されるが、これに限るものではない。
【００２４】
固定ロックプレート２４は、台座２１の上端面に固定されている。固定ロックプレート２４の固定は、例えばボルト２４ｂ、及びボルト２４ｃにより行う。一方、回動ロックプレート２５は、自身の端部付近に位置する支点２５ｂを中心として回動できる機構になっている。支点２５ｂは、図１に示すように、回動ロックプレート２５を構成する概ね四角形形状の板状部材の端部角付近に設けることが一例として想定されるが、これに限るものではない。すなわち、回動ロックプレート２５を回動させた時に、固定ロックプレート２４に干渉して回動ロックプレート２５の回動が制限されないよう回動させることができれば、その他の位置に支点を設けてもよい。回動ロックプレート２５の回動態様は、例えば、固定ロックプレート２４と回動ロックプレート２５との間を閉じたり開いたりするような振り子状の回動態様が一例として想定されるが、これに限るものではない。
【００２５】
固定サイドハンドルロックプレート２６、及び回動サイドハンドルロックプレート２７は、両者が一体となってハンドミキサー２０１におけるサイドハンドル２５０を固定するものである。固定サイドハンドルロックプレート２６、及び回動サイドハンドルロックプレート２７は、それぞれ固定ロックプレート２４、及び回動ロックプレート２５上に立設された状態で、固定ロックプレート２４、及び回動ロックプレート２５と連結されている。
【００２６】
また、固定サイドハンドルロックプレート２６、及び回動サイドハンドルロックプレート２７には、それぞれ切り欠け部２６ａ、及び切り欠け部２７ａが設けられている。回動サイドハンドルロックプレート２７を回動ロックプレート２５と伴に回動させて固定サイドハンドルロックプレート２６の側面と、及び回動サイドハンドルロックプレート２７の側面とを隣接させ、切り欠け部２７ａと、切り欠け部２６ａとを対向させて合わせると、サイドハンドル２５０を構成するシャフトを通す孔が形成される。
【００２７】
また、固定サイドハンドルロックプレート２６、及び回動サイドハンドルロックプレート２７の隣には、ロック部材２２、及びロック部材２３を連結する連結部材としてそれぞれナット部材２８、及びネジ部材２９が設けられている。そして、ナット部材２８、及びネジ部材２９は、それぞれ固定サイドハンドルロックプレート２６、及び回動サイドハンドルロックプレート２７に連結されている。ネジ部材２９をナット部材２８に入れて締結することができる。なお、ロック部材２２、及びロック部材２３を連結する連結部材は、上記ナット部材２８、及びネジ部材２９のような態様に限るものではなく、ロック部材２２、及びロック部材２３を連結できればその他の態様（例えば、ワンタッチで取り外し可能な１対の連結部材）であってもよい。
【００２８】
排出部３０は、容器１０内に収容された内容物を排出する排出口を形成するものである。排出部３０は、例えば容器１０の底面に設けることが一例として想定されるが、これに限るものではなく、その他の位置に設けてもよい。排出開閉部４０は、排出部３０としての排出口の開閉を行うものである。排出開閉部４０は、例えば、ハンドル部材４１と、シャフト４２と、排出部３０の栓の役割を果たす栓部材４３とにより構成させることが一例として想定される。
【００２９】
シャフト４２の一端は、ハンドル部材４１の中心に連結されている。一方、シャフト４２の他端は、栓部材４３の中心に連結されている。そして、栓部材４３と、排出部３０とで、例えば、ネジ機構を構成させる構成が一例として挙げられる。すなわち、栓部材４３の外周にネジ溝を設けて雄ネジとし、円筒形状の排出部３０の内周面に上記雄ネジに対応するネジ溝を設けて雌ネジとするものである。なお、栓部材４３と排出部３０との構成は、これに限るものではなく、その他の構成であってもよい。
【００３０】
図２は、本発明の実施の形態における撹拌補助具１００の装置保持部２０の動作態様と、排出部３０及び排出開閉部４０の動作態様とを示す図である。図２（ａ）は、撹拌補助具１００の装置保持部２０がハンドミキサー２０１を固定する前の図である。回動ロックプレート２５を回動させて固定ロックプレート２４と回動ロックプレート２５との間を開いた状態にして、ハンドミキサー２０１を固定ロックプレート２４と回動ロックプレート２５との間へ挿入する。
【００３１】
挿入すると、シャフトホルダ２２０を含む装置本体２１０の先端部が固定ロックプレート２４における切り欠け部２４ａに嵌め込まれる状態になる。また、挿入すると、サイドハンドル２５０の一部が固定サイドハンドルロックプレート２６における（図示しない）切り欠け部２６ａに嵌め込まれる状態になる。
【００３２】
次に、回動ロックプレート２５を矢印Ａ方向へ回動させて、図２（ｂ）に示すように固定ロックプレート２４と、回動ロックプレート２５との間を閉じるようにしてハンドミキサー２０１を横方向から挟み込む。挟み込むと、回動ロックプレート２５の切り欠け部２５ａが装置本体２１０の先端部の周囲に配置され、切り欠け部２４ａと、切り欠け部２５ａとが合わさることにより形成される装置先端孔５１に装置本体２１０の先端部が嵌め込まれた状態になる。また、閉じると、回動サイドハンドルロックプレート２７の（図示しない）切り欠け部２７ａがサイドハンドル２５０の周囲に配置され、切り欠け部２６ａと、切り欠け部２７ａとが合わさることにより形成されるサイドハンドル孔５２にサイドハンドル２５０のシャフト２５１が嵌め込まれた状態になる。
【００３３】
そして、シャフトホルダ２２０の周囲の装置本体２１０部分が、固定ロックプレート２４、及び回動ロックプレート２５の上面部分に当接する。これにより、ハンドミキサー２０１における装置本体２１０は、装置先端孔５１に装置本体２１０の先端部を通した状態で固定ロックプレート２４、及び回動ロックプレート２５に支持された状態になる。
【００３４】
また、ハンドミキサー２０１におけるサイドハンドル２５０は、サイドハンドル孔５２にサイドハンドル２５０におけるシャフト２５１を通した状態で固定サイドハンドルロックプレート２６、及び回動サイドハンドルロックプレート２７に固定された状態になる。
【００３５】
また、図２（ｂ）に示すように、固定ロックプレート２４と、回動ロックプレート２５との間を閉じた後に、ネジ部材２９をナット部材２８に入れて締結する。これにより、ハンドミキサー２０１は、装置保持部２０に固定されて、保持される。
【００３６】
図２（ｃ）は、排出部３０及び排出開閉部４０の動作態様を示す図である。排出部３０は、例えば、図２（ｃ）に示すように、円筒形状の排出口とすることが一例として想定される。この場合、排出開閉部４０における栓部材４３は、例えば、図２（ｃ）に示すように、円筒形状の排出口の栓を構成する円柱形状の部材が一例として想定される。
【００３７】
また、図１で説明したが、排出開閉部４０における栓部材４３の外周面にネジ溝を設けて雄ネジとし、排出部３０の内周面に上記雄ネジに対応するネジ溝を設けて雌ネジとすることが一例として想定される。この場合、ハンドル部材４１を回動させると、シャフト４２を介して栓部材４３が回動する。これにより、栓部材４３は図２（ｃ）の矢印Ｂ方向に移動して、排出部３０の開閉を行う。
【００３８】
図３は、本発明の実施の形態における撹拌補助具１００にハンドミキサー２０１を取り付ける様子を示す図である。図３（ａ）に示すように、ハンドミキサー２０１を撹拌補助具１００に挿入して、図３（ｂ）に示すようにロック部材２２における所定の位置に配置する。その所定の位置とは、装置本体２１０の先端部付近においては固定ロックプレート２４の切り欠け部２４ａであり、サイドハンドル２５０のシャフト２５１においては固定サイドハンドルロックプレート２６の切り欠け部２６ａである。
【００３９】
以上のように、ハンドミキサー２０１を配置させた後に、ロック部材２３を移動させてハンドミキサー２０１をロック部材２２とロック部材２３とにより横方向から挟み込ませて保持する。具体的には、回動ロックプレート２５と伴に回動サイドハンドルロックプレート２７を図３（ｂ）に示す矢印方向へ回動させる。回動させると図３（ｃ）に示すように、回動ロックプレート２５と固定ロックプレート２４とにより挟み込まれ、（図示しない）装置先端孔５１に装置本体２１０の先端部が通された状態になる。そして、装置本体２１０の先端部の周囲の装置本体２１０部分が、固定ロックプレート２４、及び回動ロックプレート２５の上面部分に当接し、固定ロックプレート２４、及び回動ロックプレート２５により装置本体２１０は支持される。
【００４０】
また、サイドハンドル２５０は、シャフト２５１がサイドハンドル孔５２を通された状態で、固定サイドハンドルロックプレート２６、及び回動サイドハンドルロックプレート２７により固定される。これにより、ハンドミキサー２０１は、固定された状態で保持される。
【００４１】
図４は、本発明の実施の形態における撹拌補助具１００の使用例を示す図である。図４（ａ）は、撹拌補助具１００にハンドミキサー２０１を取り付けて、容器１０内の水とセルフレベリング材とを混合する様子を示す図である。撹拌補助具１００にハンドミキサー２０１を取り付けると、図４（ａ）に示すように、撹拌具２４０が容器１０内の下部の方に配置される。
【００４２】
撹拌補助具１００に補助されたハンドミキサー２０１を動作させれば、ハンドミキサー２０１を持つ作業者がいなくても自動的に水とセルフレベリング材とを撹拌させることができる。すなわち、撹拌補助具１００はハンドミキサー２０１の撹拌具２４０が容器１０内に配置するように固定して保持しているため、撹拌動作を行っている間、作業者は他の動作を行うことができる。これにより、作業の効率化を図ることができる。また、撹拌補助具１００は従来のハンドミキサー２０１を利用して行うことができるため、コストを低減することができる。
【００４３】
図４（ｂ）は、容器１０内の水とセルフレベリング材との混合物を排出する様子を示す図である。ハンドミキサー２０１の撹拌動作により十分に混合された水とセルフレベリング材との混合物を取り出す場合、容器１０底面に設けられた排出部３０を開いてそこから取り出す。
【００４４】
排出部３０の開閉は、排出開閉部４０により行われる。具体的には、ハンドル部材４１を所定方向に回して排出開閉部４０としての栓部材４３を排出部３０から取り外して排出部３０を開いた状態にする。
【００４５】
排出部３０の下にバケツ６０を置いておけば、そこに必要な分だけ水とセルフレベリング材との混合物を取り出して作業に用いることができる。特に、撹拌補助具１００を用いれば作業者が一人でもハンドミキサー２０１に撹拌動作を継続させながら水とセルフレベリング材との混合物取り出せるため、質の良い混合物を取り出すことができる利点もある。
【００４６】
図５は、本発明の別の実施の形態における撹拌補助具３００にハンドミキサー２０１を取り付けた様子を示す図である。撹拌補助具３００は、撹拌補助具１００と同様にハンドミキサー２０１を保持して撹拌動作を行わせるものであり、例えば、容器３１０と、基台部３１２と、装置保持部３２０と、排出部３３０と、排出開閉部３４０と、水位検出部３５０と、回転数変更部３６０とを備える構成が一例として想定される。
【００４７】
撹拌補助具３００における容器３１０と、装置保持部３２０と、排出部３３０と、排出開閉部３４０とは、それぞれ撹拌補助具１００容器１０と、装置保持部２０と、排出部３０と、排出開閉部４０と同様の機能を有するものであり、それらは既に説明済みであるため、その説明を省略する。
【００４８】
撹拌補助具３００と撹拌補助具１００との相違点は、水位検出部３５０と、回転数変更部３６０の有無である。水位検出部３５０は、容器１０内の水位を検出するものである。回転数変更部３６０は、水位検出部３５０において検出された水位に応じてハンドミキサー２０１が撹拌具２４０を回転させる回転速度を変更させるものである。回転速度の変更態様は、例えば、容器１０内の内容物の量が多い程、回転速度を速くし、容器１０内の内容物の量が減っていくに従って、回転速度を段々と低下させていく態様が想定される。すなわち、回転速度の変更態様は、容器１０内の水位が低下するにしたがって回転速度を低下させていく態様が想定される。どの程度の水位でどの程度の回転速度を出させるかは、設計事項であり、容器の大きさ、内容物の粘性等の条件により様々な構成が想定される。
【００４９】
また、水位検出部３５０を設けない態様も本発明に含まれる。この場合、外部からの操作を受け付けてハンドミキサー２０１が撹拌具２４０を回転させる回転速度を変更させることができる回転数変更部を設けてもよい。具体例として、回転速度を５段階に切り替える切替スイッチ、又は無段階ツマミ式スイッチを有する回転速度調整用の調光器が一例として想定されるが、これに限るものではない。これは、作業者が容器１０内の内容物の量を見て、ハンドミキサー２０１が撹拌具２４０を回転させる回転速度を手動で変更する状況を想定したものである。水位検出部３５０を設けない態様の方がコストを低減できる。
【００５０】
なお、以上説明したロック部材２２、及びロック部材２３の態様は、一例であってロック部材２２、及びロック部材２３の両者が一体となってハンドミキサー２０１を挟み込んで保持できれば、横方向から以外の挟み込み態様（例えば、斜め方向挟み込み、縦方向挟み込み等）、ハンドミキサー２０１の先端付近以外を挟み込む態様（ハンドミキサー２０１の把持部分挟み込み、ハンドミキサー２０１の中心部分挟み込み）であっても本発明に含まれる。
【００５１】
さらにはロック部材２２、及びロック部材２３の移動態様も回動態様に限るものではない。例えば、ロック部材２２、及びロック部材２３の両方又は、いずれか一方が基台部１２上をスライド移動できるスライド機構が設けられ、そのようなロック部材２２、及びロック部材２３をスライド移動させることによりハンドミキサー２０１を挟み込んで保持するような構成も本発明の範囲に含まれる。
【００５２】
なお、本発明の実施の形態は本発明を具現化するための一例を示したものであり、これに限定されるものではなく本発明の要旨を逸脱しない範囲において種々の変形を施すことができる。
【符号の説明】
【００５３】
１０、３１０  容器
１１  開口上面
１２、３１２  基台部
１２ａ、２４ａ、２５ａ、２６ａ、２７ａ  切り欠け部
１３  上端縁
２０、３２０  装置保持部
２１  台座
２２、２３  ロック部材
２４  固定ロックプレート
２４ｂ、２４ｃ  ボルト
２５  回動ロックプレート
２５ｂ  支点
２６  固定サイドハンドルロックプレート
２７  回動サイドハンドルロックプレート
２８  ナット部材
２９  ネジ部材
３０、３３０  排出部
４０、３４０  排出開閉部
４１  ハンドル部材
４２  シャフト
４３  栓部材
５１  装置先端孔
５２  サイドハンドル孔
６０  バケツ
１００、３００  撹拌補助具
２００  撹拌装置
２０１  ハンドミキサー
２１０  装置本体
２２０  シャフトホルダ
２３０、２５１  シャフト
２４０  撹拌具
２５０  サイドハンドル
２５１  シャフト
３５０  水位検出部
３６０  回転数変更部
【図１】
2016002491.tif 000003
【図２】
2016002491.tif 000004
【図３】
2016002491.tif 000005
【図４】
2016002491.tif 000006
【図５】
2016002491.tif 000007